(57)【特許請求の範囲】
【請求項１】
ズームレンズの駆動機構であって、
前記ズームレンズを構成するレンズを光軸方向に駆動して前記ズームレンズの焦点距離を変更するためのカム溝を有し、前記カム溝のワイド位置及びテレ位置において前記カム溝に交差するように、内周面に金属メッキが導通部として形成されたカム筒と、
前記カム溝に係合する導電性のフォロアピンを有し、該フォロアピンを前記カム溝に沿って移動させながら前記カム筒に対して相対移動する移動筒と、を備え、
前記フォロアピンが前記カム溝を移動して前記導通部が交差する位置に来たときに、前記導通部と前記フォロアピンとが導通することにより、前記カム筒に対して前記移動筒の位置がワイド位置又はテレ位置にあることが検出可能であり、
前記カム溝における前記導通部が交差する部分は、前記カム筒の軸線に対して垂直な方向に延びる平坦部であること
を特徴とする駆動機構。
【請求項２】
請求項１に記載の駆動機構であって、
前記導通部は、前記カム溝のワイド位置において前記カム溝に交差する第１の導通部と、前記カム溝のテレ位置において前記カム溝に交差する第２の導通部とを含み、それぞれ異なる回路に接続され、前記フォロアピンが前記カム溝を移動して前記各導通部が交差する位置に来たときに、前記各回路で、前記各導通部と前記フォロアピンとの導通を検出することで、前記カム筒と前記移動筒とが所定の位置関係にあることが判断可能なこと
を特徴とする駆動機構。
【請求項３】
請求項１又は請求項２に記載の駆動機構であって、
メッキしやすい材料とメッキしにくい材料とで二色成型され、前記メッキしやすい材料で成型された部分の表面に金属メッキを施すことにより形成されたこと
を特徴とする駆動機構。
【請求項４】
請求項１から請求項３までのいずれか１項に記載の駆動機構を備えることを特徴とするレンズ鏡筒。
【請求項５】
請求項１から請求項３までのいずれか１項に記載の駆動機構を備えることを特徴とするカメラ。
【発明の詳細な説明】
【技術分野】
【０００１】
本発明は、駆動機構それを備えるレンズ鏡筒及びカメラに関するものである。
【背景技術】
【０００２】
従来、カメラのレンズ鏡筒のズームやフォーカス駆動時において、互いに相対移動する筒部材の相対的位置関係を、ブラシとコード板とを用いて検出しているものがある（例えば、特許文献１参照）。
【特許文献１】特開平９−２３０２１１号公報
【発明の開示】
【発明が解決しようとする課題】
【０００３】
しかし、ブラシやコード板を用いる場合、筒体にコード板を貼着したり、またブラシを設けたりする必要があり、部品点数が多くなるとともに、装置の小型化が困難であった。本発明の課題は、レンズ鏡筒における筒部材等の互いに相対移動する２部材が、所定の位置関係にあることを簡単な構造で検出することである。
【課題を解決するための手段】
【０００４】
本発明は、以下のような解決手段により前記課題を解決する。なお、理解を容易にするために、本発明の実施形態に対応する符号を付して説明するが、これに限定されるものではない。
【０００５】
請求項１に記載の発明は、ズームレンズの駆動機構であって、前記ズームレンズを構成するレンズを光軸方向に駆動して前記ズームレンズの焦点距離を変更するためのカム溝を有し、前記カム溝のワイド位置及びテレ位置において前記カム溝に交差するように、内周面に金属メッキが導通部として形成されたカム筒と、前記カム溝に係合する導電性のフォロアピンを有し、該フォロアピンを前記カム溝に沿って移動させながら前記カム筒に対して相対移動する移動筒と、を備え、前記フォロアピンが前記カム溝を移動して前記導通部が交差する位置に来たときに、前記導通部と前記フォロアピンとが導通することにより、前記カム筒に対して前記移動筒の位置がワイド位置又はテレ位置にあることが検出可能であり、前記カム溝における前記導通部が交差する部分は、前記カム筒の軸線に対して垂直な方向に延びる平坦部であることを特徴とする駆動機構である。
請求項２に記載の発明は、請求項１に記載の駆動機構であって、前記導通部は、前記カム溝のワイド位置において前記カム溝に交差する第１の導通部と、前記カム溝のテレ位置において前記カム溝に交差する第２の導通部とを含み、それぞれ異なる回路に接続され、前記フォロアピンが前記カム溝を移動して前記各導通部が交差する位置に来たときに、前記各回路で、前記各導通部と前記フォロアピンとの導通を検出することで、前記カム筒と前記移動筒とが所定の位置関係にあることが判断可能なことを特徴とする駆動機構である。
請求項３に記載の発明は、請求項１又は請求項２に記載の駆動機構であって、メッキしやすい材料とメッキしにくい材料とで二色成型され、前記メッキしやすい材料で成型された部分の表面に金属メッキを施すことにより形成されたことを特徴とする駆動機構である。
請求項４に記載の発明は、請求項１から請求項３までのいずれか１項に記載の駆動機構を備えることを特徴とするレンズ鏡筒である。
請求項５に記載の発明は、請求項１から請求項３までのいずれか１項に記載の駆動機構を備えることを特徴とするカメラである。
【発明の効果】
【０００６】
本発明によれば、レンズ鏡筒における筒部材等の、互いに相対移動する２部材が、所定の位置関係にあることを簡単な構造で検出することができる。
【発明を実施するための最良の形態】
【０００７】
以下、図面等を参照して、本発明の実施形態について説明する。なお、以下に示す各図には、説明と理解を容易にするために、ＸＹＺ直交座標系を設けた。この座標系では、撮影者が光軸を水平として横長の画像を撮影する場合のカメラの位置（以下、通常の撮影位置という）において撮影者から見て左側に向かう方向をＸプラス方向とする。また、通常の撮影位置において上側に向かう方向をＹプラス方向とする。さらに、通常の撮影位置において被写体に向かう方向をＺプラス方向とする。
【０００８】
本実施形態の駆動機構１は、例えば、光学三群タイプのレンズ非交換式のデジタルカメラ１００に用いられる沈胴式のレンズ鏡筒２の駆動機構である。図１〜図３は、駆動機構１を備えるレンズ鏡筒２の光軸を含む断面図であって、図１はレンズ鏡筒２における沈胴状態、図２はワイド状態、図３はテレ状態を示している。
【０００９】
レンズ鏡筒２は、第１レンズ群Ｌ１、第２レンズ群Ｌ２、第３レンズ群Ｌ３、ＣＣＤ１０、ＣＣＤ台１２、固定筒２０、カム筒３０、第１レンズ群筒４０、直進筒５０、及び第２レンズ群筒６０を備える。
【００１０】
第１レンズ群Ｌ１、第２レンズ群Ｌ２、第３レンズ群Ｌ３は、３群構成のズームレンズを構成するものであって、光軸方向に沿って被写体側（Ｚプラス側）から順次配列されている。
【００１１】
ＣＣＤ１０は、上述したズームレンズが結像する被写体像を電気的な信号に変換する固体撮像素子であり、第３レンズ群Ｌ３の射出側に配置されている。ＣＣＤ台１２は、レンズ鏡筒２のＺマイナス側の端部に設けられ、光軸に対して略直交して配置されている。ＣＣＤ台１２の略中央部にはＣＣＤ１０が固定されている。
【００１２】
固定筒２０は、ＣＣＤ台１２に対してビス２１で固定されている。固定筒２０は、その内周面にカム筒３０のカムフォロアピン３１（図２及び図３に図示）が係合するカム溝２２、及び、直進筒５０の突起部５１が案内される直進案内溝２３が形成されている。また、固定筒２０の外周における中央よりもややＺプラス側の一部は、外方に突き出し、その突き出した部分にはメイン基板３が取り付けられている。
【００１３】
カム筒３０は、固定筒２０の内径側に挿入される筒体であって、内周面に第１レンズ群筒４０を駆動するカム溝３２、及び第２レンズ群筒６０を駆動するカム溝３３が形成されている。また外周面には、上述の固定筒２０のカム溝２２に挿入されるカムフォロアピン３１が圧入されている(図２参照）。Ｚマイナス方向における内周面には、後述する直進筒５０の突起部５２と係合する溝３４が設けられている。さらに、カム筒３０は、Ｚマイナス側の外面にギア３５を備え、レンズ鏡筒２の沈胴状態と、ワイド状態と、テレ状態との間の移行に伴う駆動時に、図示しない駆動装置によって光軸回りに回転駆動される。この回転によって、カム筒３０はカム溝２２によって固定筒２０に対して回転するとともに光軸方向に移動可能で、さらに直進筒５０、第１レンズ群筒４０及び第２レンズ群筒６０を光軸方向に駆動する。
【００１４】
第１レンズ群筒４０は、カム筒３０の内径側に配置されている。さらに、第１レンズ群筒４０のＺプラス側の内径側には、第１レンズ群Ｌ１が固定される第１レンズ群室４１が固定されている。また、第１レンズ群筒４０の内周の溝４２と直進筒５０の後述する突起５２は係合しており、光軸方向に直進案内されている。よって第１レンズ群筒４０はカム筒３０の起動に沿って直進筒５０に案内されながら光軸方向に進退する。また、第１レンズ群筒４０の外周面には、カム筒３０のカム溝２２に挿入される金属製のカムフォロアピン４３が圧入されている。
【００１５】
直進筒５０は、第１レンズ群筒４０の内径側に挿入される筒体であって、Ｚマイナス側の端部に径方向外側に形成された突起部５１を備えている。また、フランジ部４２の外周側には、直進案内溝２３と係合する突起部５１が設けられ、回転制限されている。また、直進筒５０の外周には突起部５２も設けられ、上述したようにカム筒３０の内周に設けられた溝３４に係合しており、直進筒５０はカム筒３０と一体となり、固定筒２０の溝２３に案内されながら光軸方向に進退する。さらに、直進筒５０の突起部５１のＺマイナス側端面には、接片５４が熱かしめにより保持され、固定筒２０の溝に接している。
【００１６】
第２レンズ群筒６０は、直進筒５０の内径側に挿入される筒体であって、カム筒３０によって光軸方向に駆動される移動筒である。第２レンズ群筒６０は、その外周面に、上述の直進筒５０に形成された直進案内溝５３を貫通してカム筒３０のカム溝３３に挿入されるカムフォロアピン６１が圧入され、第２レンズ群筒６０はカム筒３０の起動に沿って直進筒５０に直進案内されながら光軸方向に進退する。
【００１７】
第３レンズ群Ｌ３は、第３レンズ群室７０に支持されており、第３レンズ群室７０はガイド軸７１によって直進案内され、ステッピングモータ７２により光軸方向に制御される。ＣＣＤ台１２に設けられた樹脂製の軸１３が第３レンズ群室７０の回転制限になっている。
【００１８】
このレンズ鏡筒１において、固定筒２０と、カム筒３０と、直進筒５０は金属メッキしやすい第１材料Ａと、金属メッキしにくい第２材料Ｂとの二色成型で製造されている。これらの材料としては、例えば、第１材料Ａとしてメッキ用ＡＢＳ樹脂、第２材料Ｂとしてポリカーボネートが使用される。
【００１９】
二色成型は、一例を示すと、金型に第２材料Ｂを注入して各固定筒２０と、カム筒３０と、直進筒５０のベースとしての部分を成型し、次にその金型の一部を交換又は移動して、その交換又は移動によって形成された空間に第１材料Ａを注入して行う。この二色成型で製造された部材に対して化学メッキ処理を行うと、金メッキしやすい第１材料Ａの表面にのみメッキが施され、金メッキしにくい第２材料Ｂの表面はメッキされない。化学メッキ処理としては、まず第１材料Ａの表面に下地として銅をメッキする化学メッキ処理を行い、次に、銅の上に金をメッキする化学メッキ処理を行う。これにより、金の導通部Ｃが形成される。
【００２０】
図４は固定筒２０の内面の展開図である。固定筒２０においてメッキしやすい第１材料Ａは、３箇所に設けられている。第１の部分２４は、直進案内溝２３の底部を延びる部分である。この底部を延びる部分は、図１〜図３に示すように、Ｚマイナス側端部において固定筒２０の外周側に突き出すビス取付部２５も形成している。そしてその表面をメッキすることにより形成される導通部Ｃは、直進案内溝２３の底部、ビス取付部２５のＺマイナス側端面、ビス取付用のネジ孔の内部と延びている。したがってビス２１をＦＰＣ２８を挟んでこのネジ孔にねじ込むことにより、直進案内溝２３の底部２４とＦＰＣ２８とが導通する。このＦＰＣ２８はメイン基板３に接続されている。
【００２１】
第２の部分２６は、カム溝２２における、カムフォロアピン３１がワイド端あるときの位置する部分である。この第２の部分２６は、図２において断面で示すように、固定筒２０の内面から外面を貫通してメイン基板３に続くように設けられ、第２の部分２６にはカム溝２２の底部に貫通孔２６ａが設けられている。そして、導通部Ｃは、カム筒３０の内面から貫通孔２６ａの内面を通って外面側に延び、ＦＰＣ２９によりメイン基板３へと続いている。
【００２２】
第３の部分２７は、カム溝２２における、カムフォロアピン３１がテレ端あるときの位置する部分である。この第３の部分２７も、第２の部分２６と同様に、固定筒２０の内面から外面を貫通してメイン基板３に続くように設けられ、また、カム溝２２の底部には貫通孔２７ａが設けられ、メッキによる導通部Ｃは、カム筒３０の内面から貫通孔の内面を通って外面に延び、ＦＰＣによりメイン基板３へと続いている。
【００２３】
図５はカム筒３０の内面の展開図である。図１〜４に示すように、カム筒３０においてメッキしやすい第１材料Ａは、２箇所設けられている。第１の部分３６は、カム筒３０の外面においてカムフォロアピン３１が圧入されている部分３６ａから、カム溝３２においてカムフォロアピン４３がワイド位置のときに通過する部分４３ａと、カム溝３３においてカムフォロアピン６１がワイド位置のときに通過する部分６１ａとを通り、カム筒３０のＺマイナス端まで延びるように形成されている。
【００２４】
ここで、カム溝３２におけるカムフォロアピン４３がワイド位置のときに通過する部分４３ａ、及び、カム溝３３におけるカムフォロアピン６１がワイド位置のときに通過する部分６１ａは、カム筒３０の軸線（Ｚ軸）に対して垂直な方向に平坦部を有する。これは、カムフォロアピン４３及びカムフォロアピン６１がワイド位置に停止しやすくするためである。
【００２５】
また、第１の部分３６において、図２及び図３に示すように、カム溝３２，３３は、メッキしやすい第１材料Ａの厚みより深く設けられ、メッキしにくい第２材料Ｂの部分まで到達しており、図５に示す第１の部分３６は、カム溝３２，３３と交差する部分において導通部Ｃが切断され、この部分に導電性のカムフォロアピン４３，６１が位置する場合のみ、第１の部分３６はカムフォロアピン３１が圧入されている部分３６ａからＺマイナス端まで導通する。
【００２６】
第２の部分３７は、カム筒３０の外面においてカムフォロアピン３１が圧入されている部分３７ａから、カム溝３２においてカムフォロアピン４３がテレ位置のときに通過する部分４３ｂと、カム溝３３においてカムフォロアピン６１がテレ位置のときに通過する部分６１ｂとを通り、カム筒３０のＺマイナス端まで延びるように形成されている。
【００２７】
ここで、カム溝３２におけるカムフォロアピン４３がテレ位置のときに通過する部分４３ｂ、及び、カム溝３３におけるカムフォロアピン６１がテレ位置のときに通過する部分６１ｂも、カム筒３０の軸線（Ｚ軸）に対して垂直な方向に平坦部を有する。これも、ワイド位置と同様に、カムフォロアピン４３及びカムフォロアピン６１がテレ位置に停止しやすくするためである。
【００２８】
また、第２の部分３７においても、第１の部分と同様に、カム溝３２，３３は、メッキしやすい第１材料Ａの厚みより深く設けられ、メッキしにくい第２材料Ｂの部分まで到達しており、図５に示す第２の部分３７は、カム溝３２，３３と交差する部分において導通部Ｃが切断され、この部分に導電性のカムフォロアピン４３，６１が位置する場合のみ、第２の部分３７はカムフォロアピン３１が圧入されている部分３６ａからＺマイナス端まで導通する。
【００２９】
直進筒５０において第１材料Ａは、Ｚマイナス方向において外方に延びる突起部５１を形成し、突起部５１の外周にわたって導通部Ｃが形成され、この導通部Ｃは、接片５４によって固定筒２０の導通部Ｃと接している。
【００３０】
また、フォーカス群である第３レンズ群室７０とＣＣＤ台１２と、第３レンズ群室７０をＣＣＤ台１２に対して直進ガイドする樹脂軸１３も二色成型で製造されている。図１〜図３に示すようにＣＣＤ台１２は、樹脂軸１３を固定するビス孔が設けられている部分に導通部Ｃを有し、そのビス孔には、導電性のビス１２ａがＦＰＣ２８を挟んで螺合されて樹脂軸１３が固定されている。また、樹脂軸１３はＣＣＤ台１２に近い部分に導通部Ｃを有する。第３レンズ群室７０は、Ｚ側側面に導通部Ｃを有する。一方、ＣＣＤ台１２のＹマイナス側にもネジ孔が設けられ、この孔には第３レンズ群室７０のＹマイナス側をガイドする導電性のガイド軸７１がＦＰＣ２８を挟んで挿入されて、第３レンズ群室７０の導通部Ｃを通り、固定筒２０に固定されている。
【００３１】
次に、動作について説明する。まず、図１の沈胴状態において、カムフォロアピン３１はカム溝２２の導通部Ｃである第２の部分２６又は第３の部分２７にはないため、メイン基板３からカムフォロアピン３１へと続く導通路は切断されている。
【００３２】
図２のワイド状態にくると、カムフォロアピン３１はカム溝２２の導通部Ｃである図５に示す第２の部分２６に到達し、メイン基板３からＦＰＣ２９を介してカムフォロアピン３１へと続く導通路がつながる。そして、図４に示すように、カム筒３０において、カムフォロアピン３１が圧入されている部分３６ａから、カム筒３０のＺマイナス端まで延びる第１の部分３６は、カム溝３２においてカムフォロアピン４３が部分４３ａに位置し、カム溝３３においてカムフォロアピン６１が部分６１ａに位置するためカム筒３０のＺマイナス端まで導通する。
【００３３】
図２に戻り、カム筒３０のＺマイナス端における導通部Ｃは直進筒５０の導通部Ｃと接触し、導通部Ｃは接片５４によって固定筒２０の導通部Ｃに続く。固定筒２０の導通部Ｃはビス２１を介してＦＰＣ２８によってメイン基板３に導通される。メイン基板３においては、レンズ鏡筒２における各筒体がワイド状態の位置にある場合に導通する回路が導通したことが検出され、ワイド端にいると判断され、モータが停止させる。したがって設計上の位置に各筒部材を停止させることができる。
【００３４】
図３のテレ状態にくると、カムフォロアピン３１はカム溝２２の導通部Ｃである図５に示す第３の部分２７に到達し、メイン基板３からＦＰＣ２９を介してカムフォロアピン３１へと続く導通路がつながる。そして、図５に示すように、カム筒３０において、カムフォロアピン３１が圧入されている部分３７ａから、カム筒３０のＺマイナス端まで延びる第２の部分３７は、カム溝３２においてカムフォロアピン４３が部分４３ｂに位置し、カム溝３３においてカムフォロアピン６１が部分６１ｂに位置するためカム筒３０のＺマイナス端まで導通する。
【００３５】
図３に戻り、カム筒３０のＺマイナス端における導通部Ｃは直進筒５０の導通部Ｃと接触し、導通部Ｃは接片５４によって固定筒２０の導通部Ｃに続く。固定筒２０の導通部Ｃはビス２１を介してＦＰＣ２８によってメイン基板３に導通される。メイン基板３においては、レンズ鏡筒２における各筒体がテレ状態の位置にある場合に導通する回路が導通したことが検出され、テレ端にいると判断され、モータが停止させる。したがって各筒部材を設計上の位置に停止させることができる。
【００３６】
また、第３レンズ群室７０が、樹脂軸１３の導通部が設けられている位置に移動すると、ＦＰＣ２８、ＣＣＤ台１２の導通部Ｃ、樹脂軸１３の導通部Ｃ、第３レンズ群室７０の導通部Ｃ、導電性ガイド軸７１、ＦＰＣ２８の間が導通し、メイン基板３によって第３レンズ群室７０が所定の位置にあることが検出される。
【００３７】
以上、本実施形態によると、以下の効果を有する。
（１）従来のレンズ鏡筒２においては、例えばズーム位置を確認するには停止位置を測定して設計値の焦点距離と照合する必要があった。しかし本実施形態によると、設計上のワイド位置又はテレ位置にくると、メイン基板３においてワイド位置又はテレ位置の場合に導通する回路が導通したことが検知されることができる。したがってレンズを設計位置に容易に停止させることができる。
（２）また、従来、モータのパルスにより停止させた場合、ガタやバックラッシュにより停止位置にばらつきが生じる場合もあるが、そのような場合であっても焦点距離が変化しないように、カム溝３２のワイド端やテレ端にある程度の平坦部が設けられていた。このため、その分、カム溝３２の周方向のスペースが余分に必要になり、スペースに収めるために、カムの傾斜分を急にする必要があり、鏡筒の大型化と駆動負荷の増大を招いてしまうという問題があった。本実施形態においても、カムフォロアピン４３及びカムフォロアピン６１がワイド位置やテレ位置に停止しやすくするために、平坦部は設けられているが、従来と比べてこの平坦部は短くてよく、スペースをとらず、カムの傾斜を急にする必要がなく、鏡筒の小型化が可能で、駆動負荷を小さくすることもできる。
（３）また、従来のズーム制御は方向反転時のガタを考慮して常に一定方向から停止していた（例えば繰り方向にズーム動作を行っている場合においては、ガタ取り動作を行い、繰り出し方向に停止していた）。そのため、作動の見栄えが悪く（行き過ぎてから戻る）、さらにガタ取り動作分だけズーム時間をロスするという欠点があった。しかし、本実施形態によると、各筒の位置を直接観測することができるため、ガタ取りが不要になり、ズーム時間の短縮やズーム動作の見栄えを良くすることができる。
（４）さらに、第３レンズ群室７０が、樹脂軸１３の導通部が設けられている位置に移動すると、ＦＰＣ２８、ＣＣＤ台１２の導通部Ｃ、樹脂軸１３の導通部Ｃ、第３レンズ群室７０の導通部Ｃ、導電性ガイド軸１４、ＦＰＣ２８の間が導通し、メイン基板３によって第３レンズ群室７０が所定の位置にあることが検出される。したがって、その位置をリセット位置とすることにより、フォーカス群である第３レンズ群室７０の作動位置を制御することができる。それによって従来リセット位置で使用されているフォトインタラプタを廃止することができる。
【００３８】
（変形形態）
以上、説明した実施形態に限定されることなく、以下に示すような種々の変形や変更が可能であり、それらも本発明の範囲内である。
（１）本実施形態ではレンズ鏡筒について説明したが、本発明はこれに限定されず、互いに相対移動する２部材を有する駆動機構を備えていれば他の装置に適用することもできる。
（２）カム溝の平坦部に導通部を設ける構成としたが、本発明はこれに限定されず、例えば、平坦部の前後に導通部を設け、カムフォロアが導通部を通過した時点でモータに停止信号を送り、減速を開始し、平坦部においてカムフォロアを停止しやすくすることもできる。この場合、平坦部をさらに短くすることができる。
（３）また、本実施形態では、カム溝の平坦部よりも導通部の幅を狭くしたが、これに限定されず、カム溝の平坦部よりも導通部の幅を広くし、カムフォロアが導通部を通過した時点でモータに停止信号を送り、減速を開始し、平坦部においてカムフォロアを停止しやすくすることもできる。この場合も、平坦部をさらに短くすることができる。
【００３９】
なお、実施形態及び変形形態は、適宜組み合わせて用いることもできるが、詳細な説明は省略する。また、本発明は以上説明した実施形態によって限定されることはない。
【図面の簡単な説明】
【００４０】
【図１】本発明の第１実施形態の駆動機構を備えるレンズ鏡筒における沈胴状態を示す断面図である。
【図２】本発明の第１実施形態の駆動機構を備えるレンズ鏡筒におけるワイド状態を示す断面図である。
【図３】本発明の第１実施形態の駆動機構を備えるレンズ鏡筒におけるテレ状態を示す断面図である。
【図４】固定筒の内面の展開図である。
【図５】カム筒の内面の展開図である。
【符号の説明】
【００４１】
１：駆動機構、２０：固定筒、２２：カム溝、３０：カム筒、３１：カムフォロアピン、３２：カム溝、３３：カム溝、４０：第１レンズ群筒、４３：カムフォロアピン、６０：第２レンズ群室、６１：カムフォロアピン、Ａ：メッキしやすい材料、Ｂ：メッキしにくい材料、Ｃ：導通部
【図１】
0005380873.tif 000002
【図２】
0005380873.tif 000003
【図３】
0005380873.tif 000004
【図４】
0005380873.tif 000005
【図５】
0005380873.tif 000006